(57)【要約】【課題】効率よく排気を利用することができるブロワを提供する。【解決手段】モータ４が内蔵される本体部５と遠心ファン６が内蔵されると共に筒状の噴出口２４が形成される渦巻き型の送風部７とを有して構成される本体２と、前記遠心ファン６の駆動により吸気する吸気口７４とを備えたブロワ１である。送風部７に、噴出口２４とは独立した排気口２８が遠心ファン６の回転方向に沿って設けられると共に、排気口２８を開閉するシャッター３４が設けられているから、吸引掃除の際には排気口２８を開き、吸気口７４から吸気すると共に排気口２８から排気することにより、掃除機として使用することができ、また、シャッター３４により排気口２８を閉じ、吸気口７４から吸気すると共に噴出口２４から排気することにより、ブロワとして使用することができる。【選択図】図１
2017129111.tif 000002
【特許請求の範囲】
【請求項１】
モータが内蔵される本体部と遠心ファンが内蔵されると共に筒状の噴出口が形成される渦巻き型の送風部とを有して構成される本体と、前記遠心ファンの駆動により吸気する吸気口とを備えたブロワであって、
前記送風部に、前記噴出口とは独立した排気口が前記遠心ファンの回転方向に沿って設けられると共に、前記排気口を開閉するシャッターが設けられることを特徴とするブロワ。
【請求項２】
前記シャッターが、前記排気口と前記噴出口の何れか一方を閉塞する際に、何れか他方を開放するものであることを特徴とする請求項１記載のブロワ。
【請求項３】
前記本体に着脱可能に取り付けられる除塵部を備え、前記除塵部が前記遠心ファンの上流側に取り付けられることを特徴とする請求項１又は２記載のブロワ。
【請求項４】
前記除塵部が集塵ケースを有し、前記集塵ケース内に連通する筒状の前記吸気口が、この集塵ケース自体又は前記本体に設けられると共に、前記噴出口と前記吸気口が同一の向きに並んで配列されることを特徴とする請求項３記載のブロワ。
【請求項５】
前記集塵ケースがサイクロン式の集塵ケースであり、この集塵ケース内の気流の旋回方向と前記遠心ファンの回転方向が同じであることを特徴とする請求項４記載のブロワ。
【請求項６】
前記吸気口と前記噴出口にそれぞれアタッチメントが着脱可能に接続されると共に、前記吸気口と前記噴出口の形状又は寸法を違えたことを特徴とする請求項４記載のブロワ。
【発明の詳細な説明】
【技術分野】
【０００１】
本発明は、噴出口を備えたブロワに関するものである。
【背景技術】
【０００２】
従来、この種のものとして、作業者の背中に沿って配置される背板部と、この背板部の下端から後方に延びる台座部とを有した背負フレームと、この背負フレームの背板部の後側にて台座部に搭載されて、前側に外気を吸い込むための吸気開口を有したボリュートケース内にて前後方向を軸線回りに回転可能に支持したファンを原動機により回転させることにより、前記吸気開口から吸引した空気を噴出するブロワユニットとを備えた背負式ブロワ（例えば特許文献１）や、モータをその内部に内蔵して左右方向の一方側に突出したモータハウジングと、グリップ部と、ファンが組み込まれる送風部と、前記ファンからの風を吹き出す吹き出し口と、電池パックを取り付ける電池パック取り付け部とを有する携帯用ブロワ（例えば特許文献２）等が提案されている。
【０００３】
上記背負式ブロワでは、吸引開口から取り込んだ空気をファンにより噴出するため、取り込んだ空気に塵や砂等が含まれていると、塵や砂等を含んだ空気が噴出される。また、上記携帯用ブロワでも、吸い込み口から吸い込んだ空気をファンにより噴出するため、取り込んだ空気に塵や砂等が含まれていると、塵や砂等を含んだ空気が吹出される。
【０００４】
従って、これらのものは、地面に落ちた枯葉等のごみを吹き飛ばすには適しているが、空気を噴出する面が清浄な面である場合には、適しているとは言えなかった。例えば、洗車後の車体に付着した水滴を吹き飛ばすような場合、噴出する空気に塵や砂等が含まれていると、高速で吹き出される塵や砂等によって車体が傷付けられたり汚れたりするという問題がある。
【０００５】
ところで、空気を噴出する機能に加えて吸引も可能としたものとして、エンジン等の動力源によって駆動され、この動力源には出力軸が連結され、この出力軸には送風を行うファンが取付けられ吸込または送風作業を行う携帯用ブロワであって、前記ファンを収納するケースの出力軸線上に吸込口を、ファンの外周でケースの前面側に吹出口を有し、前記吸込口に吸込管を取付け且つ前記吹出口に集塵袋等と連結可能な吹出管を取付けることにより落葉や塵芥等を吸込む機構を有し、あるいは前記吹出口に吹出管を取付けることにより落葉や塵芥等を吹き寄せる機構を有する携帯用ブロワ（例えば特許文献３）がある。
【先行技術文献】
【特許文献】
【０００６】
【特許文献１】特開２０１５−８３８１６号公報
【特許文献２】特開２０１１−１１１７９３号公報
【特許文献３】特開２００９−９１７１９号公報
【発明の概要】
【発明が解決しようとする課題】
【０００７】
上記携帯用ブロワでは、前記吸込口から取り込んだ空気を前記ファンにより噴出するため、上記背負式ブロワ及び携帯用ブロワと同様に、取り込んだ空気に塵や砂等が含まれていると、塵や砂等を含んだ空気が噴出されるという問題がある。
【０００８】
また、上記携帯用ブロワでは、前記本体部の正面上部に前記吹出口が設けられ、これとは位置及び向きが異なる前記本体部の左側面中央部に前記吸込口が設けられているため、ブロワとして用いる場合と吸引掃除機として用いる場合で、前記本体の向きを変える必要があり、使い勝手が悪いという問題がある。
【０００９】
更に、上記特許文献１〜３のブロワは、いずれもモータ等の回転駆動手段の回転軸を横向きに配置し、その回転軸にファンを設けるため、特許文献２のようにモータ部分が左右方向に出っ張り、例えば体の脇や肩に吊るして使用するには不向きな面がある。
【００１０】
本発明は以上の問題点を解決し、噴出した空気に塵等が混ざることがないブロワを提供することを目的とし、加えて、噴出と吸気のどちらの場合も同じ向きで使用することができるブロワを提供することを目的とする。
【課題を解決するための手段】
【００１１】
本発明の請求項１に記載のブロワは、モータが内蔵される本体部と遠心ファンが内蔵されると共に筒状の噴出口が形成される渦巻き型の送風部とを有して構成される本体と、前記遠心ファンの駆動により吸気する吸気口とを備えたブロワであって、前記送風部に、前記噴出口とは独立した排気口が前記遠心ファンの回転方向に沿って設けられると共に、前記排気口を開閉するシャッターが設けられることを特徴とする。
【００１２】
また、本発明の請求項２に記載のブロワは、請求項１において、前記シャッターが、前記排気口と前記噴出口の何れか一方を閉塞する際に、何れか他方を開放するものであることを特徴とする。
【００１３】
また、本発明の請求項３に記載のブロワは、請求項１又は２において、前記本体に着脱可能に取り付けられる除塵部を備え、前記除塵部が前記遠心ファンの上流側に取り付けられることを特徴とする。
【００１４】
更に、本発明の請求項４に記載のブロワは、請求項１〜３において、前記集塵ケース内に連通する筒状の吸気口が、この集塵ケース自体又は前記本体に設けられると共に、前記噴出口と前記吸気口が同一の向きに並んで配列されることを特徴とする。
【００１５】
また、本発明の請求項５に記載のブロワは、請求項４において、前記集塵ケースがサイクロン式の集塵ケースであり、この集塵ケース内の気流の旋回方向と前記遠心ファンの回転方向が同じであることを特徴とする。
【００１６】
更に、本発明の請求項６に記載のブロワは、請求項４において、前記吸気口と前記噴出口にそれぞれアタッチメントが着脱可能に接続されると共に、前記吸気口と前記噴出口の形状又は寸法を違えたことを特徴とする。
【発明の効果】
【００１７】
本発明の請求項１に記載のブロワは、以上のように構成することにより、掃除機として使用する際には、前記シャッターにより前記排気口を開き、前記吸気口から吸気すると共に、前記排気口から排気することにより、吸引する塵埃を排気でまき散らしてしまわないようにすることができる。また、ブロワとして使用する際には、前記シャッターにより前記排気口を閉め、前記吸気口から吸気すると共に、前記噴出口から排気することにより、排気を全て前記噴出口から吹き出させて、効率よく排気を利用することができる。
【００１８】
また、前記シャッターが、前記排気口と噴出口の何れか一方を閉塞する際に、何れか他方を開放するから、前記排気口と噴出口の逆の開閉操作を確実に行うことができる。
【００１９】
更に、前記遠心ファンの上流側に設けた前記除塵部において塵が除去され、この除塵された空気が前記噴出口から噴出されるため、空気を吹き付けた箇所を塵等で汚すことがない。
【００２０】
また、前記噴出口と吸気口が同じ向きに並んで配列されているため、噴出と吸気のどちらの場合でも前記ブロワを同じ向きで使用することができる。
【００２１】
また、サイクロン式の前記集塵ケース内における気流の旋回方向と、前記ファンの回転方向が同じであるから、掃除機として使用する場合であってもブロワとして使用する場合であっても、前記集塵ケースを通過した空気を排気口又は噴出口からスムーズに排気することができる。
【００２２】
更に、前記吸気口と噴出口の形状又は寸法が違うため、吸気と噴出の専用の前記アタッチメントのみを前記吸気口と噴出口に接続することができ、前記アタッチメントの接続間違いを防止できるので、例えば、前記吸気口に接続したアタッチメントを前記噴出口に接続することで、このアタッチメントに付着した塵等を吹き飛ばして、清浄面に塵等を付着させてしまう等の問題が生じないようにすることができる。
【図面の簡単な説明】
【００２３】
【図１】本発明の実施例１を示すブロワの前後方向の断面図である。
【図２】同、ブロワの左右方向の断面図である。
【図３】同、除塵部の拡大断面図である。
【図４】同、ブロワの平面図である。
【図５】同、ブロワを底面側から見た平断面図であり、シャッターにより排気口を塞ぎ、噴出口を開いた状態を示す。
【図６】同、噴出用アタッチメントを取り付けたブロワの斜視図である。
【図７】同、ブロワを底面側から見た平断面図であり、シャッターにより噴出口を塞ぎ、排気口を開いた状態を示す。
【図８】同、吸気用アタッチメントを取付けたブロワの斜視図である。
【図９】同、ブロワの前後方向の断面図であり、アタッチメントの接続筒部を接続した状態を示す。
【図１０】同、係合突起の平面図であり、図１０（Ａ）は噴出側係合突起、図１０（Ｂ）は吸気側係合突起を示す。
【図１１】同、ブロワの正面図である。
【図１２】同、肩バンドを連結した状態の側面図である。
【図１３】本発明の実施例２を示す平面説明図である。
【図１４】同、集塵ケースを取り外した状態の正面説明図である。
【発明を実施するための形態】
【００２４】
以下、本発明における好適な実施の形態について、添付図面を参照して説明する。なお、以下に説明する実施の形態は、特許請求の範囲に記載された本発明の内容を限定するものではない。また、以下に説明される構成の全てが、本発明の必須要件であるとは限らない。
【実施例１】
【００２５】
以下、本発明の実施例１について、図１〜図１２に基づいて説明する。１は本発明のブロワである。このブロワ１は、本体２と、この本体２の下部に着脱可能に取り付けられる除塵部３とを備える。また、前記本体２は、モータ４が内蔵される本体部５と、この本体部５の下部に設けられ遠心ファン６が内蔵された送風部７とを備え、この送風部７の下部に前記除塵部３が着脱可能に取り付けられる。
【００２６】
前記本体部５の外側には円筒状の本体部ケース１１が設けられ、この本体部ケース１１の下部側には、下方に向かってテーパー状に拡大する拡大部１１Ａを設け、この拡大部１１Ａの下部の本体部ケース下部１１Ｂが上部より径大に形成されている。また、前記本体部ケース１１の上部開口１２は蓋体１３により閉塞されている。前記本体部ケース１１内の中央に前記モータ４が縦設され、このモータ４の回転軸４Ａは縦向きで本体部ケース１１の中心に位置する。なお、前記回転軸４Ａは、本体部５内に設けた上下の軸受１４，１５により回動自在に支持されている。
【００２７】
図５及び図７に示すように、前記遠心ファン６は回転中心軸６Ａの周囲に複数のファン翼６Ｂ，６Ｂ・・・を有し、このファン翼６Ｂは遠心ファン６の回転方向と逆方向に屈曲した曲線状をなし、前記回転中心軸６Ａに前記モータ４の回転軸４Ａが接続されている。
【００２８】
前記送風部７の外側には送風部ケース２１が設けられ、この送風部ケース２１は上ケース部２２と下ケース部２３を組み立ててなり、筒状の噴出口２４が形成されている。また、前記送風部ケース２１内には、前記遠心ファン６が収納されており、前記送風部ケース２１内に仕切り壁部２５を設け、この仕切り壁部２５により前記送風部ケース２１内が舌部２６を基点として渦巻き状に成形されている。
【００２９】
そして、渦巻き状の巻き始め部である前記舌部２６側から、前記仕切り壁部２５と遠心ファン６との間隔が徐々に開き、その仕切り壁部２５に連続する前記送風部７の渦巻き内面部２７と前記遠心ファン６との間隔が徐々に開くように、遠心ファン６が配置されている。また、渦巻き状の巻終り部である前記渦巻き内面部２７の端部２７Ｔの接線方向に前記噴出口２４の基端が設けられ、この噴出口２４の基端は、前記本体２の左前側に位置する。前記噴出口２４の長さ方向中央に屈曲部２４Ａを設け、この屈曲部２４Ａに前記噴出口２４の先端たる噴出筒部２４Ｂが連結され、この噴出筒部２４Ｂは前記ブロワ１の前後方向に伸びるよう前部に配置され、前記噴出筒部２４Ｂの中心の延長線上に前記モータ４の回転軸４Ａが位置する。
【００３０】
前記送風部ケース２１の前記渦巻き内面部２７には、複数の排気口２８，２８・・・が前記噴出口２４とは別途に設けられている。この例では、前記各排気口２８，２８・・・は、前記送風部ケース２１の左後側に前記遠心ファン６の回転方向に沿って設けられている。即ち、前記各排気口２８，２８・・・は、前記送風部ケース２１の外周面に開口している。また、隣り合う前記各排気口２８，２８・・・間には、縦方向のフィン２９，２９・・・が設けられ、これらのフィン２９，２９・・・の外端は、前記本体２の後側を向いている。このため、前記各排気口２８，２８・・・から排出される空気は、前記各フィン２９，２９・・・に案内されて、後方に排気される。
【００３１】
前記送風部ケース２１の下面には、後述する集塵ケースを取り付ける取付部３１が設けられ、この取付部３１は略リング状をなす。前記送風部ケース２１の下面中央には、前記除塵部３に連通する吸込口３２が設けられる。
【００３２】
前記送風部ケース２１には、前記噴出口２４と前記排気口２８を選択的に開閉するシャッター３４が設けられている。このシャッター３４は、円弧状の板材からなり、上下一定幅で、前記送風部ケース２１の上下に設けた案内部たる案内溝３５，３５により案内されて移動可能なように設けられている。
【００３３】
図１及び図６等に示すように、前記送風部ケース２１の外周側下部には操作部３６が突設され、この操作部３６の上端が前記シャッター３４と一体に設けられている。そして、前記操作部３６を用いて前記シャッター３４を前記排気口２８側に移動させることにより、図５に示すように、前記排気口２８を前記シャッター３４により塞ぐことができると共に、前記噴出口２４を開くことができる。逆に、前記シャッター３４を前記噴出口２４側に移動させることにより、図７に示すように、前記噴出口２４を前記シャッター３４により塞ぐことができると共に、前記排気口２８を開くことができる。なお、前記噴出口２４を塞いだ状態で、前記シャッター３４の一端が前記舌部２６側に当接し、また、前記排気口２８を塞いだ状態で、前記シャッター３４の他端が前記仕切り壁部２５の端部２５Ａに当接する。
【００３４】
前記除塵部３は、前記送風部ケース２１の下部に着脱可能に取り付けられるフィルタ組立体４１と、前記送風部ケース２１の下部に着脱可能に取り付けられるサイクロン式の集塵ケース４２とを備える。前記フィルタ組立体４１は、前記吸込口３２を塞ぐように取り付けられ、前記集塵ケース４２は、前記フィルタ組立体４１の外側に間隔を置いて取付けられる。
【００３５】
前記フィルタ組立体４１は、筒状体５１と、内フィルタ体５２とを備える。前記筒状体５１は、一端（上端）が開放し、他端（下端）が閉塞した有底円筒状に形成され、略円筒形の周壁部５３と、この周壁部５３の下側を閉塞する下面部５４と、前記周壁部５３の下側に設けた返し部５５とを一体に備えている。なお、これらの周壁部５３、下面部５４及び返し部５５は、比較的硬質の合成樹脂により一体成型される。そして、前記筒状体５１の周壁部５３は、下側に向かって径がやや縮小するように形成されている。また、前記筒状体５１の周壁部５３には、一次フィルタとして作用する多数の小孔５３Ｈが多数穿設されている。
【００３６】
更に、前記返し部５５は、前記周壁部５３から連続して徐々に径が大きくなる拡径部５５Ａと、この拡径部５５Ａから連続して形成された短円筒部５５Ｂとで構成されている。そして、前記集塵ケース４２と前記フィルタ組立体４１を前記本体２に取り付けた状態では、前記返し部５５の短円筒部５５Ｂの先端（下端）が位置する場所から前記集塵ケース４２の後述する蓋体までの空間が、塵埃貯溜部５６となる。
【００３７】
前記周壁部５３の上端に取付部５７が設けられる。この取付部５７は、前記周壁部５３の上端に周設された上鍔部５８と、この上鍔部５８上に突設された接続外筒部５９を有して構成される。そして、前記送風部ケース２１の下面には、前記接続外筒部５９を挿入接続する外筒受け部６０が周設される。なお、この外筒受け部６０は、円環状の溝により構成されている。
【００３８】
前記内フィルタ体５２は、不織布等からなる筒状のフィルタ本体６１と、このフィルタ本体６１の下部開口を閉塞する蓋部６２と、前記フィルタ本体６１の上部に一体に設けたリング状の取付部６３とを備えている。なお、前記フィルタ本体６１は谷部と山部を交互に形成した蛇腹状をなし、前記蓋部６２と取付部６３は比較的硬質な合成樹脂からなる。
【００３９】
前記取付部６３は、上鍔部６４と、この上鍔部６４の上に突設された接続内筒部６５を有して構成される。そして、前記送風部ケース２１の下面には、この接続内筒部６５を挿入接続する内筒受け部６６が周設される。なお、この前記内筒受け部６６は、円環状の溝により構成されている。また、前記外筒受け部６０と前記内筒受け部６６とは、同心円状に形成されている。
【００４０】
また、組立状態で、前記接続外筒部５９内に前記取付部６３の上鍔部６４が挿入されると共に、前記内フィルタ体５２の上鍔部６４が前記筒状体５１の上鍔部５８の上面に重ね合わされる。そして、前記接続外筒部５９の内周面と前記接続内筒部６５の外周面との間には、シール部材たる環状のパッキン６７が配設される。なお、前記取付部３１には、図示しないスイッチが設けられている。そして、前記フィルタ組立体４１が前記取付部３１に取り付けられると、前記スイッチはオンになる。逆に、前記フィルタ組立体４１が前記取付部３１に取り付けられていない状態では、前記スイッチはオフとなる。
【００４１】
前記集塵ケース４２は、上部に円筒部７１を設け、この円筒部７１の下部に拡大部７２を設け、この拡大部７２の下部に径大円筒部７３を有する。なお、組立状態で、前記径大円筒部７３の上端の高さ位置近傍に、前記フィルタ組立体４１の返し部５５が位置する。
【００４２】
前記円筒部７１には、筒状の吸気口７４が一体的に設けられる。この吸気口７４の基端は、前記本体２の前部左側に位置する。前記吸気口７４の長さ方向中央には屈曲部７４Ａが設けられ、この屈曲部７４Ａに、前記吸気口７４の先端たる吸気筒部７４Ｂが連結される。そして、この吸気筒部７４Ｂは、前記ブロワ１の前後方向に伸びるよう前部に配置されている。また、前記噴出筒部２４Ｂと吸気筒部７４Ｂは同一方向を向き、上下に配置されている。なお、前記屈曲部７４Ａの基端側は、円筒部７１の周方向に接続されており、前記吸気口７４から吸引した空気は、前記円筒部７１の周方向に向かって該円筒部７１内に流れ込む。
【００４３】
そして、前記遠心ファン６を底面視において反時計回り方向に回転駆動して前記吸気口７４から外気を吸引すると、前記集塵ケース４２内において外気が底面視反時計回りに旋回し、後述するように前記除塵部３において塵が分離された後、前記吸込口３２から前記送風部ケース２１内に至り、前記送風部ケース２１内で底面視反時計回りに旋回して前記噴出口２４から外部に噴出される。
【００４４】
前記径大円筒部７３の底部には、底面開口部７５が設けられると共に、この底面開口部７５を開閉する蓋体７６が設けられている。この蓋体７６は、その一側を枢着部７７により前記径大円筒部７３に枢着し、前記底面開口部７５を開閉可能に枢着されている。なお、前記蓋体７６の底面に形成された外周部及び補強リブは、実質的に同一平面を形成するように構成される。即ち、前記ブロワ１は、前記蓋体７６の底面が床等の平面上に接するように設置可能である。また、前記底面開口部７５に前記蓋体７６を閉成状態でロック及びロック解除可能なロック機構７８を備える。
【００４５】
前記ロック機構７８は、図１などに示すように、前記径大円筒部７３にロックボタン７９を設け、このロックボタン７９は、係止部たる係止爪部７９Ａを有し、枢着部（図示せず）により回動可能に設けられ、付勢手段（図示せず）によりロック方向に付勢されている。また、前記蓋体７６の他側には、前記係止爪部７９Ａが係止する係止受け部たる係止突起８０が形成されている。
【００４６】
従って、前記ロックボタン７９を押すと、前記係止爪部７９Ａと係止突起８０の係止が解除されることで、重力によって前記蓋体７６が回動して、前記底面開口部７５を開くことができる。また、前記蓋体７６の外周には、閉成状態で前記底面開口部７５に当接するシール部材たるパッキン８１が装着されている。更に、図２，図３等に示すように、取付状態で、前記円筒部７１の内周面と接続外筒部５９の外周面との間に、シール材たる環状のパッキン８２が配設される。
【００４７】
前記送風部ケース２１の前記取付部３１には、前記集塵ケース４２の円筒部７１の上縁７１Ｕが当接する当接受け部３１Ａが設けられ、前記上縁７１Ｕを前記当接受け部３１Ａに当接した状態で、送風部ケース２１の下部に集塵ケース４２が固定され、この固定のために固定機構８３が設けられている。
【００４８】
前記固定機構８３は、図２及び図３等に示すように、前記円筒部７１の外周に突設された左右一対の係止受け部８４，８４と、前記取付部３１に設けられて前記係止受け部８４に係止するロックハンドル８５とを有して構成される。前記ロックハンドル８５は、取付軸８６を中心に前記取付部３１に回動可能に設けられ、前記ロックハンドル８５の係止部８５Ａが前記係止受け部８４の下縁に係止することにより、前記送風部ケース２１に前記集塵ケース４２が固定され、また、前記係止を解除して取り外すことができる。
【００４９】
前記本体部ケース１１の上部中央には、把持体９１が設けられている。この把持体９１は、前後の縦杆部９２，９２の上部を前後方向の横杆部９３により連結している。なお、前後の前記各縦杆部９２，９２は、上方に向かうほど間隔が狭まるように、斜めに形成されている。また、前後の前記各縦杆部９２，９２の下部は、前記本体部ケース１１の外周面に固定される。そして、前記各縦杆部９２，９２の下部には、前後外側に張り出した張出部９４，９４を設け、これら張出部９４，９４にバンド係止部たる取付軸９５，９５が設けられている。
【００５０】
従って、図１２に示すように、吊り下げ手段たる肩バンド９６の両端に設けた接続部９６Ａ，９６Ａを、前記取付軸９５，９５に接続することにより、前記ブロワ１の本体２に前記肩バンド９６を接続し、この肩バンド９６を片方の肩に掛けて前記ブロワ１を使用することができる。なお、９７，９８は、エラストマー等の軟質材で形成されたパッドである。これらのパッド９７，９８は、前記送風部ケース２１の外周部に取り付けられる。また、前記各パッド９７，９８には、それぞれ凹状の切欠部９７Ａ，９８Ａが形成される。これらの切欠部９７Ａ，９８Ａは、それぞれ略円弧凹状に形成される。
【００５１】
図６及び図９に示すように、前記噴出口２４には専用の噴出用アタッチメント１０１が着脱可能に接続される。噴出用アタッチメント１０１は、延長ホース１０２と、この延長ホース１０２の先端に設けた筒状のノズル本体１０３と、前記延長ホース１０２の基端を接続した接続筒部１０４とを備える。前記延長ホース１０２は、蛇腹状に形成されると共に、可撓性を有する。また、前記ノズル本体１０３は、基端部１０３Ａと先端ノズル１０３Ｂとの間に屈曲部１０３Ｃを形成し、先端ノズル１０３Ｂの先端が開口する。なお、図９においては、前記噴出用アタッチメント１０１は、その接続筒部１０４のみを図示し、他を省略している。同様に、後述する吸気用アタッチメントは、その接続筒部のみを図示し、他を省略している。
【００５２】
ノズル本体１０３には、前記屈曲部１０３Ｃと前記基端部１０３Ａの基端側とを連結する把持部１０５が設けられている。前記接続筒部１０４の基端側は、前記噴出口２４の噴出筒部２４Ｂに挿入接続される噴出側挿入部１０４Ａである。そして、この噴出側挿入部１０４Ａの上部に、長さ方向の噴出側係合突起１０６が設けられる。一方、前記噴出筒部２４Ｂの内周面には、前記噴出側係合突起１０６が係入する溝状の噴出側係合受け部１０７が形成される。なお、この係合受け部１０７は、前記噴出口２４の先端に開口する。
【００５３】
また、前記噴出口２４には、先端から離れた位置に、噴出側挿入部１０４Ａの先端が当接する規制段部１０８が形成されている。そして、図９に示すように、接続状態で、噴出側挿入部１０４Ａの先端が前記規制段部１０８に当接し、噴出側係合突起１０６が噴出側係合受け部１０７に係入すると共に、噴出側係合突起１０６の先端と噴出側係合受け部１０７との内端との間には隙間が生じる。
【００５４】
また、前記噴出口２４は、前記噴出用アタッチメント１０１を固定及び固定解除するロック機構１１１を備える。このロック機構１１１は、図５及び図７に示すように、前記噴出口２４にロックボタン１１２を設けて構成される。このロックボタン１１２は、係止部たる係止爪部１１３を有し、枢着部１１２Ａにより回動可能に設けられると共に、付勢手段（図示せず）によりロック方向に付勢されている。そして、前記噴出口２４には前記係止爪部１１３を挿通する挿通孔１１４が穿設され、この挿通孔１１４から前記係止爪部１１３の先端が噴出口２４内に臨む。また、前記噴出用アタッチメント１０１の噴出側挿入部１０４Ａには、前記係止爪部１１３が係止する係止受け部たる係止溝部１１５（図９参照）が形成されている。
【００５５】
図８及び図９に示すように、前記吸気口７４には専用の吸気用アタッチメント１２１が着脱可能に接続される。この吸気用アタッチメント１２１は、延長管１２２と、この延長管１２２の先端に着脱可能に接続されるノズル本体１２３と、前記延長管１２２の基端に設けられた接続筒部１２４とを備える。また、前記延長管１２２の先端には先端接続筒部１２５が設けられており、この接続筒部１２５に対し前記ノズル本体１２３が着脱可能である。本例では、前記ノズル本体１２３は、基端部１２３Ａと横長形状の先端ノズル１２３Ｂとを備え、この先端ノズル１２３Ｂはその下面に横方向に長いノズル側吸込口（図示せず）を有する。なお、このようなノズル本体１２３の代わりに、隙間ノズル等、用途に応じて他の形状のノズルを前記接続筒部１２５に接続してもよい。
【００５６】
また、前記基端部１２３Ａは前記先端接続筒部１２５内に挿入接続され、この状態で前記先端接続筒部１２５に前記基端部１２３Ａを固定及び固定解除可能な、前記噴出筒部２４Ｂのロック機構１１１と同じロック機構１１１を備える。前記先端接続筒部１２５のロックボタン１１２は、前記先端接続筒部１２５の先端側外周に設けられる。そして、前記基端部１２３Ａには、前記噴出側挿入部１０４Ａと同様に、係止溝部（図示せず）が設けられている。
【００５７】
また、接続筒部１２４の基端側が、前記吸気口７４に挿入接続される吸気側挿入部１２４Ａである。この吸気側挿入部１２４Ａの外周上部には、長さ方向の吸気側係合突起１２６が設けられ、この吸気側係合突起１２６が係入する溝状の吸気側係合受け部１２７が前記吸気口７４の内周面に形成される。なお、前記係合受け部１２７は、前記吸気口７４の先端に開口する。
【００５８】
また、前記吸気口７４には、前記吸気用アタッチメント１２１を固定及び固定解除するロック機構１１１を備える。このロック機構１１１は、前記噴出口２４側に設けたロック機構１１１と同一構成であり、前記吸気筒部７４Ｂに前記ロックボタン１１２を設け、このロックボタン１１２が、係止部たる係止爪部（図示せず）を有し、枢着部１１２Ａにより回動可能に設けられ、付勢手段（図示せず）によりロック方向に付勢されている。そして、吸気口７４には前記係止爪部を挿通する挿通孔（図示せず）が穿設され、この挿通孔から前記係止爪部の先端が前記吸気口７４内に臨む。また、前記吸気用アタッチメント１２１の吸気側挿入部１２４Ａには、前記係止爪部が係止する係止受け部たる係止溝部１１５が形成されている。
【００５９】
図１０に示すように、前記噴出側係合突起１０６は、前記吸気側係合突起１２６より左右方向に幅広である。即ち、噴出側係合突起１０６は、前記吸気側係合受け部１２７に挿入することができないように構成されている。一方、前記吸気口７４には前記規制段部１０８は設けられておらず、前記吸気側挿入部１２４Ａは前記噴出側挿入部１０４Ａより長く形成されている。
【００６０】
従って、前記吸気用アタッチメント１２１を前記噴出口２４に挿入しようとしても、前記吸気側挿入部１２４Ａの先端が前記規制段部１０８に当接するため、接続することができない。また、前記噴出用アタッチメント１０１を前記吸気口７４に接続しようとしても、幅広な前記噴出側係合突起１０６をこれより幅狭な前記吸気側係合受け部１２７に係入することができないため、接続することができない。
【００６１】
このようにして、前記噴出口２４には専用の前記噴出用アタッチメント１０１のみが着脱可能に接続され、前記吸気口７４には専用の前記吸気用アタッチメント１２１のみが着脱可能に接続される。このため、前記吸気用アタッチメント１２１を使用し、仮にこの吸気用アタッチメント１２１の内部に埃が付着して残っていても、前記吸気用アタッチメント１２１を前記噴出口２４に接続して前記埃を含んだ空気を噴出することがない。
【００６２】
前記把持体９１の横杆部９３の前側上面には、ブロワ１のオン・オフを切り替える押しボタン式のメインスイッチ１３１が設けられている。また、前側の前記縦杆部９２の上端には、前記モータ４の回転数を調節可能な回転数調整部たるダイヤル式のスイッチ１３２が設けられている。また、前記ブロワ１は、電源である家庭用電源と接続するコード１３３を備え、前記モータ４の回転を制御する制御手段たる回路基板１３４を前記本体２内に内蔵する。
【００６３】
次に、前記ブロワ１の使用方法について説明する。なお、自動車を清浄にする場合を例に説明する。噴出口２４を使用するのは、主に、洗車後の車体表面に残った水を吹き飛ばす場合である。この場合、前記シャッター３４を操作して前記排気口２８を閉じた状態とすると共に前記噴出口２４を開いた状態とし、また、前記吸気口７４から前記吸気用アタッチメント１２１を外し、前記噴出口２４のみに前記噴出用アタッチメント１０１を接続しておく。そして、使用者が右利きの場合、左肩に前記肩バンド９６を掛け、体の左脇に吊した状態で前記ブロワ１を保持する。或いは斜め掛け、即ち、右肩に前記肩バンド９６を掛け、体の左脇に吊した状態で前記ブロワ１を保持してもよい。この際、前記パッド９８の切欠部９８Ａが、人体（例えば腰）の側部に当接する。このように、前記パッド９８の切欠部９８Ａが人体の側部に当接することで、使用時に前記ブロワ１が人体の側部を転がるように移動するのを抑制することができる。また、前記パッド９８がエラストマー等の軟質材で形成されているので、人体に当たっても痛みを感じにくくすることができると共に、自動車に当たっても傷を付けにくくすることができる。なお、前記肩バンド９６を左肩に掛ける代わりに、前記把持体９１を左手で把持してもよい。一方、前記噴出用アタッチメント１０１の把持部１０５は、右手で把持する。使用者が左利きの場合は、右肩に前記肩バンド９６を掛け、体の右脇に吊した状態で、前記ブロワ１を保持する。或いは斜め掛け、即ち、左肩に前記肩バンド９６を掛け、体の右脇に吊した状態で前記ブロワ１を保持してもよい。この際、前記パッド９７の切欠部９７Ａが人体の側部に当接する。なお、前記肩バンド９６を右肩に掛ける代わりに、前記把持体９１を右手で把持してもよい。一方、前記噴出用アタッチメント１０１の把持部１０５は、左手で把持する。このように、前記本体２と前記除塵部３が上下に配置され、この除塵部３が前記遠心ファン６の上流側に取り付けられ、前記モータ４が、その回転軸４Ａが縦向きとなるように前記本体２に内蔵されると共に、前記噴出口２４が、前記送風部７の送風部ケース２１の外周から横向きに突出するように形成されたから、全体として縦長になり、肩バンド９６等により肩に掛けて使い易いものになる。
【００６４】
そして、メインスイッチ１３１をオンにし、水洗い後の車体に残った水を前記ノズル本体１０３の先端から噴出した空気により吹き飛ばす。この場合、車体前面のグリル，サイドミラーやホイール等、水を拭き取り難い部分に、ノズル本体１０３から吹き出された圧縮空気を吹き付けることにより、残った水を効率よく吹き飛ばすことができる。また、前記除塵部３により、前記吸気口７４から吸引された空気から塵や砂等が分離除去されるため、前記噴出口２４から噴出する空気に塵や砂などが含まれることがなく、車体等を傷付けたり汚したりすることがない。更に、噴出気流の強さは、前記ダイヤル式のスイッチ１３２を操作することで調整可能である。
【００６５】
なお、前述した通り、前記取付部３１には図示しないスイッチが設けられており、前記フィルタ組立体４１が取り付けられない状態ではオフであり、前記フィルタ組立体４１を取り付けることでオンになる。このため、前記取付部３１に前記フィルタ組立体４１が取り付けられない状態では、前記メインスイッチ１３１を操作しても、前記モータ４が回転しない。従って、前記フィルタ組立体４１が前記取付部３１に取り付けられていれば、前記集塵ケース４２が取り付けられなくても、前記モータ４は作動可能である。逆に、前記集塵ケース４２が取り付けられていても、前記フィルタ組立体４１が取り付けられなければ、前記モータ４は作動不能である。
【００６６】
なお、前記吸気口７４から吸引された塵埃を含む空気は、前記集塵ケース４２の周方向に接続された前記吸気筒部７４Ｂから前記集塵ケース４２内に流れ込み、この集塵ケース４２内で渦流が形成される。なお、気流の方向は底面視で反時計回りである。気流の旋回による遠心力によって、この渦流に含まれる粗い塵埃が遠心分離され、前記拡大部７２と返し部５５との間から前記塵埃貯溜部５６に移動すると共に、砂等の粗くて重い塵埃が分離された気流は、前記小孔５３Ｈから前記筒状体５１内に流入する。また、気流が前記返し部５５を乗り越える際に、この気流に含まれる塵埃の多くは、前記返し部５５によって下方に返されることになる。
【００６７】
そして、気流に含まれる軽い塵埃は、前記筒状体５１内に流入する際に、一次フィルタとして作用する前記小孔５３Ｈ、或いは前記フィルタ本体６１によって捕捉される。このようにして、前記フィルタ本体６１によって細かい塵埃が分離された清浄な気流は、渦流のままで前記吸込口３２を通過して、前記送風部ケース２１に至る。この送風部ケース２１内では、前記吸込口３２から吸い込まれた空気が、前記遠心ファン６の回転により前記噴出口２４から前記噴出用アタッチメント１０１を通って外部に噴出される。
【００６８】
このように、前記集塵ケース４２内と送風部ケース２１内とにおける空気の旋回方向が同一であるから、前記吸気口７４から吸い込まれた空気を前記除塵部３において除塵した後、前記本体２の噴出口２４からスムーズに噴出することができる。
【００６９】
一方、掃除機として使用する場合は、前記シャッター３４を操作して前記排気口２８を開くと共に前記噴出口２４を閉めた状態とし、また、前記噴出口２４から噴出用アタッチメント１０１を外し、前記吸気口７４のみに前記吸気用アタッチメント１２１を接続しておく。そして、前記メインスイッチ１３１をオンにし、車内の清掃を行う。吸引された塵埃を含む空気は、前記除塵部３により除塵された後、後方の前記排気口２８から排気される。なお、気流から塵埃を除去する作用は、上述の通りである。また、吸気の強さは、前記ダイヤル式のスイッチ１３２を操作することで調整可能である。
【００７０】
このように、前記噴出口２４と吸気口７４が同じ方向を向いて設けられることから、前記噴出口２４を使用する場合と前記吸気口７４を使用する場合とも、同じ姿勢で前記ブロワ１を保持することができ、使い勝手がよくなる。また、前記シャッター３４により前記排気口２８を開く操作と、前記噴出口２４を閉じる操作とを同時に一回で済ますことができ、利便性に優れる。また、前記吸気口７４から吸気する場合、前記噴出口２４から空気が噴出することがないから、噴出する空気により、前記吸気用アタッチメント１２１により吸い込もうとする塵埃が吹き飛ばされたり舞い上がったりすることがなく、塵埃をスムーズに吸い込むことができる。
【００７１】
以上のように本実施例は、モータ４が内蔵される本体部５と遠心ファン６が内蔵されると共に筒状の噴出口２４が形成される渦巻き型の送風部７とを有して構成される本体２と、この本体２に着脱可能に取り付けられる除塵部３とを備えたブロワ１であって、前記本体２と前記除塵部３が上下に配置され、前記除塵部３が前記遠心ファン６の上流側に取り付けられ、前記モータ４が、その回転軸４Ａが縦向きとなるように前記本体２に内蔵されると共に、前記噴出口２４が、前記送風部７の送風部ケース２１の外周から横向きに突出するように形成されたから、遠心ファン６の上流側に設けた除塵部３において塵が除去され、この除塵された空気が噴出口２４から噴出するため、噴出した箇所を塵などで汚すことがない。また、モータ４の回転軸４Ａを縦向きに配置したから、全体として縦長になり、肩バンド９６等により肩に掛けて使い易いものになる。
【００７２】
また、前記除塵部３が集塵ケース４２を有し、この集塵ケース４２内に連通する筒状の吸気口７４が、前記集塵ケース４２に設けられると共に、前記噴出口２４と前記吸気口７４が同一の向きに並んで配列されるから、噴出気流を利用する場合と吸引気流を利用して塵埃を集塵する場合のどちらでも、前記ブロワ１を同じ姿勢で同様に使用することができる。
【００７３】
また、モータ４が内蔵される本体部５と遠心ファン６が内蔵されると共に筒状の噴出口２４が形成される渦巻き型の送風部７とを有して構成される本体２と、前記遠心ファン６の駆動により吸気する吸気口７４とを備えたブロワ１であって、前記送風部７に、前記噴出口２４とは独立した排気口２８が前記遠心ファン６の回転方向に沿って設けられると共に、前記排気口２８を開閉するシャッター３４が設けられているから、吸引掃除の際には前記排気口２８を開き、前記吸気口７４から吸気すると共に前記排気口２８から排気することにより、掃除機として使用することができ、また、前記シャッター３４により前記排気口２８を閉じ、前記吸気口７４から吸気すると共に前記噴出口２４から排気することにより、ブロワとして使用することができる。
【００７４】
また、前記シャッター３４が、前記排気口２８と前記噴出口２４の何れか一方を閉塞する際に、何れか他方を開放するものであるから、前記排気口２８と噴出口２４の択一的な開閉操作を確実に行うことができる。
【００７５】
更に、前記本体２に着脱可能に取り付けられる除塵部３を備え、前記除塵部３が前記遠心ファン６の上流側に取り付けられるから、遠心ファン６の上流側に設けた除塵部３において塵が除去され、この除塵された空気が噴出口２４から噴出するため、噴出した箇所を塵などで汚すことがない。
【００７６】
また、前記集塵ケース４２がサイクロン式の集塵ケースであり、この集塵ケース４２内の気流の旋回方向と前記遠心ファン６の回転方向が同じであるから、除塵した空気をスムーズに排気することができる。
【００７７】
また、前記吸気口７４と前記噴出口２４にそれぞれアタッチメント１０１，１２１が着脱可能に接続されると共に、前記吸気口７４と前記噴出口２４の形状及び寸法を違えたから、吸気と噴出の専用の前記アタッチメント１２１，１０１のみをそれぞれ前記吸気口７４と前記噴出口２４に接続することができ、アタッチメントの接続間違いを防止できる。
【００７８】
以下、実施例上の効果として、１枚の前記シャッター３４を前記噴出口２４と排気口２８の開閉に用いるから、構成が簡易なものとなる。また、前記噴出筒部２４Ｂと吸気筒部７４Ｂは同一方向を向き、上下に配置されているから、どちらを使用する場合でも使用者の人体からの距離が殆ど変わらないので、使い易い。また、隣り合う排気口２８，２８・・・間には、縦方向のフィン２９が設けられ、フィン２９が本体２の前後方向を向いているから、送風部ケース２１内の空気を整流して後方に排気することができる。これによって、吸引掃除を行う場所から離れる方向に排気を送るので、吸引する塵埃を撒き散らさず、確実に吸引することができる。
【００７９】
また、前記集塵ケース４２の下部には前記蓋体７６が開閉可能に設けられているから、前記集塵ケース４２内に溜まった塵埃を簡便に捨てることができる。また、細かい塵埃を捕捉する前記フィルタ組立体４１が前記取付部３１に取り付けられなければ、前記モータ４が作動しないので、塵埃が噴き付けられないようにすることができる。また、前記集塵ケース４２の下部が拡径していると共に、前記蓋体７６の底面が実質的に同一平面を形成するように構成されるので、前記ブロワ１を、前記蓋体７６の底面が床等の平面上に接するように、前記集塵ケース４２が下側、前記本体２が上側となるようにして、安定して置くことができる。
【００８０】
また、前記吸気口７４と前記噴出口２４の形状又は寸法を異ならせ、具体的には係合突起１２６，１０６の大きさを異ならせ、また、前記吸気側挿入部１２４Ａと噴出側挿入部１０４Ａの長さを異ならせたから、前記アタッチメント１２１，１０１の接続間違いを確実に防止できる。
【００８１】
また、前記肩バンド９６を肩に掛けて吊るした状態で、前記パッド９７，９８の切欠部９７Ａ，９８Ａが人体の側部に当接することで、使用時に前記ブロワ１が人体の側部を転がるように移動するのを抑制することができるので、使い勝手を良くすることができる。また、前記パッド９７，９８がエラストマー等の軟質材で形成されているので、人体に当たっても痛みを感じにくくすることができると共に、自動車に当たっても傷を付けにくくすることができる。更に、前記把持体９１の前後に前記取付軸９５，９５を設けたから、前後の取付軸９５，９５の間隔を広くすることができ、接続した前記肩バンド９６により肩から吊り下げ易くなる。
【実施例２】
【００８２】
図１３及び図１４は本発明の実施例２を示し、上記実施例１と同一部分に同一符号を付し、その説明を省略して詳述する。同図は噴出口２４と吸気口７４の取付位置の変形例を示す。
【００８３】
同図に示すように、この例では、前記本体２の送風部ケース２１の左側寄りの下部に突出して前記吸気口７４を設け、また、前記送風部ケース２１の右側に前記噴出口２４を設け、吸気口７４及び噴出口２４は、相互に平行であって、前方を向いている。
【００８４】
また、集塵ケース４２の上部左側面に集塵ケース側接続孔１３６を形成し、この集塵ケース側接続孔１３６に接続する吸気口側接続孔１３７が前記吸気口７４の側面に設けられている。そして、前記送風部ケース２１の下部中央に前記集塵ケース４２を接続することにより、前記吸気口側接続孔１３７が前記集塵ケース側接続孔１３６に接続され、遠心ファン６を駆動すると、吸気口７４から吸気された外気が集塵ケース４２内に導入される。
【００８５】
以上のように本実施例では、前記除塵部３が集塵ケース４２を有し、前記集塵ケース４２内に連通する筒状の吸気口７４が、本体２の送風部ケース２１に設けられると共に、前記噴出口２４と前記吸気口７４が同一の向きに並んで配列されるから、噴出気流を利用する場合と吸引気流を利用して塵埃を集塵する場合のどちらでも、前記ブロワ１を同じ姿勢で同様に使用することができ、上記実施例１と同様な作用・効果を奏する。
【００８６】
なお、本発明は以上の実施例に限定されるものではなく、発明の要旨の範囲内で種々の変形実施が可能である。例えば、上記実施例では、シャッターを手動で動かしたが、電動で動かしてもよい。また、本体にフィルタ組立体を取付け、集塵ケースを取付けない状態で使用してもよい。更に、前記噴出口と排気口とにそれぞれシャッターを設けてもよい。
【符号の説明】
【００８７】
１  ブロワ
２  本体
３  除塵部
４  モータ
４Ａ  回転軸
５  本体部
６  遠心ファン
７  送風部
２４  噴出口
２８  排気口
３４  シャッター
４２  集塵ケース
７４  吸気口
１０１  噴出用アタッチメント
１０６  噴出側係合突起
１０７  噴出側係合受け部
１０８  規制段部
１２１  吸気用アタッチメント
１２６  吸気側係合突起
１２７  吸気側係合受け部
【図１】
2017129111.tif 000003
【図２】
2017129111.tif 000004
【図３】
2017129111.tif 000005
【図４】
2017129111.tif 000006
【図５】
2017129111.tif 000007
【図６】
2017129111.tif 000008
【図７】
2017129111.tif 000009
【図８】
2017129111.tif 000010
【図９】
2017129111.tif 000011
【図１０】
2017129111.tif 000012
【図１１】
2017129111.tif 000013
【図１２】
2017129111.tif 000014
【図１３】
2017129111.tif 000015
【図１４】
2017129111.tif 000016